(57)【特許請求の範囲】
【請求項１】
本体ケースと、羽根と、水を抜く下カバー用水抜き穴とハウジングとを設けた下カバーと上カバーと回転子と巻線を巻装した固定子とを有したモーターと、で構成し、前記下カバーの底面の内側に凹凸部を設け、結露水を抜く絶縁シート用水抜き穴を設けた平板形状の絶縁シートを、前記下カバー用水抜き穴と前記絶縁シート用水抜き穴とあわせなく前記凹凸部上に設け、前記下カバーと前記巻線が接近した間には配置せず前記下カバーと前記巻線との絶縁距離が確保できている間に前記絶縁シート用水抜き穴の位置を配置したことを特徴とする換気装置。
【請求項２】
絶縁シートの外径の寸法を、下カバーの内径の寸法より小さくしたことを特徴とする請求項１に記載の換気装置。
【請求項３】
絶縁シートの内径の寸法を、ハウジングの外径の寸法より大きくしたことを特徴とする請求項１に記載の換気装置。
【発明の詳細な説明】
【技術分野】
【０００１】
本発明は、例えば浴室内の空気を屋外に排気する換気装置に関するものである。
【背景技術】
【０００２】
従来、この種の換気装置は、モーターの内部で発生した結露水をモーターの外部に排出するものが知られている（例えば、特許文献１参照）。
【０００３】
以下、その換気装置について図７および図８を参照しながら説明する。
【０００４】
図７に示すように、換気装置１０１は本体ケース１０２と羽根１０３とモーター１０４で構成され、そのモーター１０４の内部には水抜き穴１０５を設けた下カバー１０６と巻線１０７とを絶縁するための絶縁シート１０８が複数折り曲げて挿入されており、下カバー１０６の底面と絶縁シート１０８との間に空間を確保することによって、モーター１０４の内部で発生した結露水をモーター１０４の外部へ排出していた。
【先行技術文献】
【特許文献】
【０００５】
【特許文献１】特開２０１０−１３０７０６号公報
【発明の概要】
【発明が解決しようとする課題】
【０００６】
このような従来の換気装置においては、モーター内部の絶縁シートの形状は、絶縁シートの縁部を複数折り曲げて立体的にするためモーターの高さ寸法を大きくする必要があった、という課題を有していた。
【０００７】
そこで本発明は、上記従来の課題を解決するものであり、モーターの高さ寸法を大きくせずに、モーターの内部の結露水を絶縁シートの下に流すことができる換気装置を提供することを目的とする。
【課題を解決するための手段】
【０００８】
そして、この目的を達成するために、本発明は、本体ケースと、羽根と、水を抜く下カバー用水抜き穴とハウジングとを設けた下カバーと上カバーを有したモーターと、で構成し、前記下カバーの底面の内側に凹凸部を設け、結露水を抜く絶縁シート用水抜き穴を設けた平板形状の絶縁シートを、前記下カバー用水抜き穴と前記絶縁シート用水抜き穴とあわせなく前記凹凸部上に設けたこととしたものであり、これにより所期の目的を達成するものである。
【発明の効果】
【０００９】
本発明によれば、下カバーの底面の内側に凹凸部を設け、結露水を抜く絶縁シート用水抜き穴を設けた平板形状の絶縁シートを、前記下カバー用水抜き穴と前記絶縁シート用水抜き穴とあわせなく前記凹凸部上に設けたという構成にしたことにより、モーターに浸入した結露水は、絶縁シート用水抜き穴から絶縁シートの下側に浸入し、下カバー用水抜き穴から結露水が排出されることとなるので、モーターの高さ寸法を大きくせずに、モーターの内部の結露水を絶縁シートの下に流すことができる、という効果を得ることができる。
【図面の簡単な説明】
【００１０】
【図１】本発明の実施の形態１の換気装置を示す斜視図
【図２】同換気装置の側断面図
【図３】同換気装置のモーターの斜視図
【図４】同換気装置のモーターの詳細側断面図
【図５】同換気装置の絶縁シ−トの平面図
【図６】同換気装置の下カバーと絶縁シートの位置を示す上視図
【図７】従来の換気装置を示す斜視図
【図８】同換気装置のモーターを示す詳細側断面図
【発明を実施するための形態】
【００１１】
本発明の換気装置は、本体ケースと、羽根と、水を抜く下カバー用水抜き穴とハウジングとを設けた下カバーと上カバーを有したモーターと、で構成し、前記下カバーの底面の内側に凹凸部を設け、結露水を抜く絶縁シート用水抜き穴を設けた平板形状の絶縁シートを、前記下カバー用水抜き穴と前記絶縁シート用水抜き穴とあわせなく前記凹凸部上に設けた、という構成を有する。これにより、モーターに浸入した結露水は、絶縁シート用水抜き穴から絶縁シートの下側に浸入し、下カバー用水抜き穴から結露水が排出されることとなるので、モーターの高さ寸法を大きくせずに、モーターの内部の結露水を絶縁シートの下に流すことができる、という効果を奏する。
【００１２】
また、絶縁シートの外径の寸法を、下カバーの内径の寸法より小さくした、という構成にしてもよい。これにより、モーターに浸入した結露水は、下カバーの内周と絶縁シートの外周との間から絶縁シートの下に浸入することとなるので、モーターの高さ寸法を大きくせずに、下カバーの側面の内側に付着した結露水を絶縁シートの下に流すことができる、という効果を奏する。
【００１３】
また、絶縁シートの内径の寸法を、ハウジングの外径の寸法より大きくした、という構成にしてもよい。これにより、モーターに浸入した結露水は、絶縁シートの内周とハウジングの外周との間から絶縁シートの下に浸入することとなるので、モーターの高さ寸法を大きくせずに、ハウジングの外側に付着した結露水を絶縁シートの下に流すことができる、という効果を奏する。
【００１４】
以下、本発明の実施の形態について図面を参照しながら説明する。
【００１５】
（実施の形態１）
図１は、換気装置１８の概略図である。
【００１６】
図１において、１４は略直方体形状の本体ケースで、図２に示すごとく、下面には空気吸込口１６が、また、外周面には空気排出口１５が、それぞれ合成樹脂で一体に形成されている。
【００１７】
図示しないが、この本体ケース１４の天井面は、金属板により形成されており、その中央部には丸型の貫通穴が形成されている。また、上記本体ケース１４内には、遠心ファンであるシロッコファンの羽根１７が設けられており、その中心軸部分に設けた円管状の軸支部には、例えば交流型であるモーター１の回転軸６の下端が貫通させられており、この回転軸６の下端部分において羽根１７が実質的な固定状態（必要に応じての着脱自在を含む）で取り付けられている。
【００１８】
上記モーター１は、図３、図４に示すように、回転軸６上部の上下に軸受７ａ、７ｂが設けられ、これら上、下の軸受７ａ、７ｂ間の回転軸６部分に回転子５が固定されている。
【００１９】
また、回転子５の外周方向には、所定間隔をおいて樹脂で成型された絶縁体３を装着した固定子鉄心２ａに、巻線４を巻装した固定子２が配置されている。回転軸６、軸受７ａ、７ｂを含んだ回転子５、および固定子２は、軸方向からつまり軸の上下方向の２つの有底円筒状の下カバー８，上カバー９に挟み込むようにしてこれら下カバー８，上カバー９内に収められることになる。下カバー８の底面は円周形状の凹部１９と凸部２０に構成されており、モーター１の内部で発生した結露水を排出するための下カバー用水抜き穴１０が凹部１９に設けられている。
【００２０】
また、この下カバー８は、軸方向の長さをできるだけ小さくするため、固定子２の軸方向の頂部と下カバー８の底面間の距離を小さくし、この間に絶縁シート１２を設けて絶縁を確保する。
【００２１】
この絶縁シート１２は、図５に示すように、樹脂等の絶縁材料で作られたドーナツ形状の平板で、その絶縁シート１２には絶縁シート用水抜き穴１３が数箇所設けてある。
【００２２】
なお、絶縁シート用水抜き穴１３は、好ましくは長方形であることが望ましい。
【００２３】
絶縁シート１２の外形の寸法は、下カバー８の内径の寸法より小さくして水を流すための隙間を設け、絶縁シート１２の内径の寸法は、下カバー８のハウジング１１の外径の寸法より大きくして隙間を設けている。
【００２４】
その際、絶縁シート１２の内径部分の一部に中心に向かって突部１５を設けることで、絶縁シート１２が移動しない構造とする。
【００２５】
絶縁シート１２は下カバー８の凹凸上に設ける構造とするが、下カバー用水抜き穴１０が下カバー８の凹部１９に位置してあるため、実際には絶縁シート１２と下カバー８との間には空間が生じることになる。
【００２６】
絶縁シート用水抜き穴１３の位置は、図６に示すように、図１に示している換気装置１８が停止中に浴室内などの湿度の高い空気が下カバー用水抜き穴１０からモーター１の内部に入り込んで回転子５に錆を発生させたりロックさせたりしないように下カバー用水抜き穴１０の位置と合わせないように配置する。
【００２７】
また、絶縁シート用水抜き穴１３の位置は、下カバー８と巻線４が接近した間には配置せず、下カバー８と巻線４との絶縁距離が確保できている間に配置する。
【００２８】
上記構成による本実施形態の結露水の流れについて説明する。
【００２９】
図１に示す換気装置１８を運転すると、モーター１が動作し、モーター１内部の温度が上昇する。換気装置１８の置かれた雰囲気温度が低いときには、モーター１内部との温度差によって、図４に示す下カバー８の内面，上カバー９の内面、ハウジング１１や固定子鉄心２ａなどの外面などで結露が発生する。下カバー８の内面や上カバー９の内面やハウジング１１に発生した結露水は、下カバー８の内周と絶縁シート１２の外周との間や絶縁シート１２の内周とハウジング１１の外周との間から絶縁シート１２の下側に浸入するため絶縁シート上に水がたまりにくく流れやすくなる。
【００３０】
また、固定子鉄心２ａなどに発生した結露水は絶縁シート１２上に滴下するものがあり、その結露水は絶縁シート用水抜き穴１３から絶縁シート１２の下側に浸入するため絶縁シート上に水がたまりにくく流れやすくなる。絶縁シート１２の下側に浸入した結露水は、最終的に下カバー用水抜き穴１０からモーター１外部へ排出される。
【００３１】
このような構成によれば、本体ケースと、羽根と、水を抜く下カバー用水抜き穴とハウジングとを設けた下カバーと上カバーを有したモーターと、で構成し、前記下カバーの底面の内側に凹凸部を設け、結露水を抜く絶縁シート用水抜き穴を設けた平板形状の絶縁シートを、前記下カバー用水抜き穴と前記絶縁シート用水抜き穴とあわせなく前記凹凸部上に設けたこと、また、絶縁シートの外径の寸法を、下カバーの内径の寸法より小さくしたこと、また、絶縁シートの内径の寸法を、ハウジングの外径の寸法より大きくしたことにより、モーターに浸入した結露水は、絶縁シート用水抜き穴や下カバーの内周と絶縁シートの外周との間や絶縁シートの内周とハウジングの外周との間から絶縁シートの下に浸入して下カバー用水抜き穴から結露水が排出されることとなり、モーターの高さ寸法を大きくせずに、モーターの内部の結露水を絶縁シートの下に流すことができる。
【産業上の利用可能性】
【００３２】
本発明にかかる換気装置は、モーター内部の水を水抜き穴から排出することを可能とするものであるので、屋外に使用される換気装置等として有用である。
【符号の説明】
【００３３】
１    モーター
８    下カバー
９    上カバー
１０  下カバー用水抜き穴
１１  ハウジング
１２  絶縁シート
１３  絶縁シート用水抜き穴
１４  本体ケース
１７  羽根
１８  換気装置
【図１】
0005927419.tif 000002
【図２】
0005927419.tif 000003
【図３】
0005927419.tif 000004
【図４】
0005927419.tif 000005
【図５】
0005927419.tif 000006
【図６】
0005927419.tif 000007
【図７】
0005927419.tif 000008
【図８】
0005927419.tif 000009